(57)【要約】【課題】取出口にフィルムを設けなくとも、家庭用薄葉紙の保持性および取出性のよい家庭用薄葉紙収納箱を提供することである。【解決手段】収納箱の取出口の縁に、その収納箱の長手方向中心線を挟んだ一方側から他方側に張り出した第１羽部と、その長手方向中心線を挟んだ他方側から一方側に張り出した第２羽部を、それぞれの数が異なるように設けるとともに、その第１羽部の先端部と第２羽部の先端部の隙間であって収納箱の短手方向の間隔を３ｍｍ以上１７ｍｍ以下に形成することによって、家庭用薄葉紙の取出性および保持性の双方を満足させることを可能にした。【選択図】図１
2008162624.tif 000002
【特許請求の範囲】
【請求項１】
交互に折り畳まれて積層された家庭用薄葉紙が内部に収納され、上面の蓋部が破断用切目線に沿って切り取り可能に構成され、該蓋部を切り取って形成される取出口を通して内部の家庭用薄葉紙を取り出すことができるように構成された略直方体状で上面長方形の家庭用薄葉紙収納箱において、
前記取出口は、前記家庭用薄葉紙収納箱の上面中央に位置し、前記取出口の全長は、前記家庭用薄葉紙収納箱の長手方向で大きく、かつ、その短手方向で小さくなるように設定され、
前記取出口の縁には、前記家庭用薄葉紙収納箱の上面の長手方向中心線を挟んだ一方側からその長手方向中心線に向かって前記短手方向に張り出す第１羽部と、前記家庭用薄葉紙収納箱の上面の長手方向中心線を挟んだ他方側からその長手方向中心線に向かって前記短手方向に張り出す第２羽部とが、その第１羽部の数と第２羽部の数が異なるように設けられ、
前記第１羽部と前記第２羽部のそれぞれの先端部の隙間間隔であって、前記短手方向の間隔が３ｍｍ以上１７ｍｍ以下とされていることを特徴とする家庭用薄葉紙収納箱。
【請求項２】
前記第１羽部と前記第２羽部のそれぞれの先端部分が、直線形状又は波形形状とされていることを特徴とする請求項１に記載の家庭用薄葉紙収納箱。
【請求項３】
前記取出口の縁には、前記長手方向の両端側から前記長手方向に張り出して対向する両側羽部が設けられていることを特徴とする請求項１又は２に記載の家庭用薄葉紙収納箱。
【請求項４】
前記第１羽部と前記第２羽部の付け根側には、前記各羽部の起立を容易にするための折目用線が形成されていることを特徴とする請求項１〜３の何れか一項に記載の家庭用薄葉紙収納箱。
【請求項５】
前記第１羽部の付け根側に形成された折目用線と、前記第２羽部の付け根側に形成された折目用線の幅と深さの少なくとも一方が異なることを特徴とする請求項４に記載の家庭用薄葉紙収納箱。
【請求項６】
前記第１羽部と前記第２羽部の付け根側には、前記各羽部の起立を容易にするための折目用線が形成され、
前記両側羽部の付け根側には、前記両側羽部の起立を容易にするための折目用線が形成されていることを特徴とする請求項３に記載の家庭用薄葉紙収納箱。
【請求項７】
前記第１羽部と前記第２羽部の付け根側に形成された折目用線と、前記両側羽部の付け根側に形成された折目用線の幅と深さの少なくとも一方が異なることを特徴とする請求項６に記載の家庭用薄葉紙収納箱。
【発明の詳細な説明】
【技術分野】
【０００１】
本発明は、ティシューペーパー、キッチンペーパー、ペーパータオル等の家庭用薄葉紙を収納する家庭用薄葉紙収納箱に関する。
【背景技術】
【０００２】
家庭用薄葉紙の１つであるティシューペーパーを収納するティシューペーパー収納箱（以下、収納箱という。）の市販品は紙から構成されている。この収納箱の上面にはティシューペーパーを取り出すための取出口が設けられているのが一般的である。この取出口は、収納箱がユーザの手元に渡るまでは、蓋部によって覆われている。そして、ユーザがその蓋部を破断用切目線に沿って切り取ることによって取出口が形成される。
【０００３】
ところで、このような収納箱におけるティシューペーパーの取出構造として、大別して、２種の構造が知られている。１つは、取出口の縁に下側からポリエチレン等の透明な樹脂フィルムが予め貼られ、この樹脂フィルムの中央に形成されたスリットからティシューペーパーを取り出す構造である。他の１つは、上記樹脂フィルムがなく蓋部を破断用切目線で切り取って形成された取出口からティシューペーパーを取り出す構造、いわゆるフィルムレス構造である（例えば、特許文献１）。
このうち、前者の取出構造によれば、取出口の縁に樹脂フィルムを予め貼るので、手間とコストが嵩むことに加え、ティシューペーパーを使い切った後に、ゴミの分別処理のためにユーザが樹脂フィルムと箱本体（紙）とを分別しなければならないという問題がある。一方、後者の取出構造によればこのような問題は生じない。
【特許文献１】特開２００４−２０８７６５号公報
【発明の開示】
【発明が解決しようとする課題】
【０００４】
しかし、後者のフィルムレス構造の収納箱にあっては、新たな問題が生じる。
すなわち、フィルムレス構造の収納箱にあっては、取出口の幅（取出口の延在方向に直交する寸法）が小さいと、ティシューペーパーを取り出す際に取出口の硬い縁にティシューペーパーが強く擦れることとなり、取出抵抗が大きくなり、ティシューペーパーが破れたりして取出性が悪いだけでなく、たとえ破れなくても擦れによる紙粉の発生につながって不都合を生じる。
一方、ティシューペーパーの取出性を向上させるために取出口の面積を増大させるとすれば、ティシューペーパーの取出性は向上するが、今度はティシューペーパーの保持性が悪くなってしまいティシューペーパーの収納箱内への落ち込みが生じやすくなるととともに、取出口から埃等が入りやすくなる。
【０００５】
本発明は、かかる問題点に鑑みなされたもので、家庭用薄葉紙の取出性および保持性の双方を満足させる家庭用薄葉紙収納箱を提供することを目的としている。
【課題を解決するための手段】
【０００６】
請求項１に記載の家庭用薄葉紙収納箱は、交互に折り畳まれて積層された家庭用薄葉紙が内部に収納され、上面の蓋部が破断用切目線に沿って切り取り可能に構成され、該蓋部を切り取って形成される取出口を通して内部の家庭用薄葉紙を取り出すことができるように構成された略直方体状で上面長方形の家庭用薄葉紙収納箱において、前記取出口は、前記家庭用薄葉紙収納箱の上面中央に位置し、前記取出口の全長は、前記家庭用薄葉紙収納箱の長手方向で大きく、かつ、その短手方向で小さくなるように設定され、前記取出口の縁には、前記家庭用薄葉紙収納箱の上面の長手方向中心線を挟んだ一方側からその長手方向中心線に向かって前記短手方向に張り出す第１羽部と、前記家庭用薄葉紙収納箱の上面の長手方向中心線を挟んだ他方側からその長手方向中心線に向かって前記短手方向に張り出す第２羽部とが、その第１羽部の数と第２羽部の数が異なるように設けられ、前記第１羽部と前記第２羽部のそれぞれの先端部の隙間間隔であって、前記短手方向の間隔が３ｍｍ以上１７ｍｍ以下とされていることを特徴とする。ここで、「家庭用薄葉紙収納箱の長手方向中心線」とは家庭用薄葉紙収納箱の長手方向に延びる中心線を意味する。また、「取出口の全長」とは取出口の最大長さをいう。
【０００７】
請求項２に記載の家庭用薄葉紙収納箱は、請求項１に記載の家庭用薄葉紙収納箱において、前記第１羽部と前記第２羽部のそれぞれの先端部分が、直線形状又は波形形状とされていることを特徴とする。
【０００８】
請求項３に記載の家庭用薄葉紙収納箱は、請求項１又は２に記載の家庭用薄葉紙収納箱において、前記取出口の縁には、前記長手方向の両端側から前記長手方向に張り出して対向する両側羽部が設けられていることを特徴とする。
【０００９】
請求項４に記載の家庭用薄葉紙収納箱は、請求項１〜３の何れか一項に記載の家庭用薄葉紙収納箱において、前記第１羽部と前記第２羽部の付け根側には、前記各羽部の起立を容易にするための折目用線が形成されていることを特徴とする。
【００１０】
請求項５に記載の家庭用薄葉紙収納箱は、請求項４に記載の家庭用薄葉紙収納箱において、前記第１羽部の付け根側に形成された折目用線と、前記第２羽部の付け根側に形成された折目用線の幅と深さの少なくとも一方が異なることを特徴とする。
【００１１】
請求項６に記載の家庭用薄葉紙収納箱は、請求項３に記載の家庭用薄葉紙収納箱において、前記第１羽部と前記第２羽部の付け根側には、前記各羽部の起立を容易にするための折目用線が形成され、前記両側羽部の付け根側には、前記両側羽部の起立を容易にするための折目用線が形成されていることを特徴とする。
【００１２】
請求項７に記載の家庭用薄葉紙収納箱は、請求項６に記載の家庭用薄葉紙収納箱において、前記第１羽部と前記第２羽部の付け根側に形成された折目用線と、前記両側羽部の付け根側に形成された折目用線の幅と深さの少なくとも一方が異なることを特徴とする。
【発明の効果】
【００１３】
本発明によれば、家庭用薄葉紙収納箱の長手方向中心線を挟んだ一方側から張り出した第１羽部と、その長手方向中心線を挟んだ他方側から張り出した第２羽部との数が異なるように設けられているので、この家庭用薄葉紙収納箱の長手方向に第１羽部の先端部と第２羽部の先端部とが互い違いに並んで配されるようになり、その第１羽部と第２羽部の少なくとも一方に家庭用薄葉紙を接触しやすくして、家庭用薄葉紙が取出口から収納箱内に落ち込んでしまうことを防止することができる。したがって、待機する家庭用薄葉紙の保持性が向上する。また、良好な間隔である３ｍｍ〜１７ｍｍに配置された第１羽部の先端部と第２羽部の先端部が家庭用薄葉紙と接触することにより、家庭用薄葉紙に好適な取出抵抗が付与されるので、家庭用薄葉紙の取出性が向上する。
【発明を実施するための最良の形態】
【００１４】
［第１実施形態］
図１は、フィルムレス構造のティシューペーパー収納箱（以下、収納箱という。）の構造を示す分解斜視図、図２は、この収納箱の使用前の状態を示す平面図、図３は、この収納箱の使用時の状態を示す平面図である。ここで、「フィルムレス」とは取出口に、スリット付きの樹脂フィルムが存在しないことを意味している。
【００１５】
収納箱１は、例えば、長手方向の長さが１６０〜２５０ｍｍ、短手方向の長さが１００〜１２０ｍｍ、高さが５０〜１２０ｍｍの略直方体状に形成された収納箱であり、この収納箱１内にティシューペーパー２…がポップアップ可能に積層されて収納される。
【００１６】
収納箱１の上面１ａには、ティシューペーパー２…を取り出すための取出口１１が形成されている。この取出口１１は、最初の使用時に、収納箱１の上面１ａに設けられたループ状の破断用切目線３に沿って収納箱１の一部である蓋部１２を切り取ることにより形成される。この場合、破断用切目線３は連続してループ状をなしているため、蓋部１２を破断用切目線に沿って切り取ると、取出口１１の縁も連続してループ状をなすことになる。収納箱１はこの状態で使用される。ここで、「連続してループ状をなす」とは、縁の途中に切り込み、裂け目がなく全体が連続していることを意味している。
【００１７】
取出口１１は収納箱１の上面中央に位置している。この取出口１１の寸法は、収納箱１の長手方向で短手方向に比べて大きくなるように設定されている。ここで、取出口１１の長手方向長さは、収納箱１の上面の長手方向長さの６０〜９６％であることが好ましい。下限を６０％としたのは、６０％よりも小さくすると、ティシューペーパーの両端が強く擦れて取出性が悪くなるからである。
【００１８】
この取出口１１は、比較的大きな円弧状の縁１１−１と、略Ｕ字状の縁１１−２と、比較的小さな円弧状の縁１１−３と、直線状の縁１１−４と、比較的小さな円弧状の縁１１−５と、略Ｕ字状の縁１１−６と、を連結してなるループ状の縁によって区画される。
【００１９】
そして、取出口１１の縁には、円弧状の縁１１−１が自由端縁を構成し、取出口１１の内方に向けて円弧状に膨らんで張り出した１つの第１羽部１３ａと、円弧状の縁１１−３と１１−５が自由端縁を構成し、取出口１１の内方に向けて円弧状に膨らんで並ぶように張り出した２つの第２羽部１３ｂ，１３ｂとが、収納箱１の上面１ａの長手方向中心線Ｃ１（長手方向に延びる中心線）を挟んで対向するように形成されている。
【００２０】
第１羽部１３ａは、長手方向中心線Ｃ１を挟んだ一方側からその長手方向中心線Ｃ１に向かって収納箱１の上面１ａの短手方向（長手方向中心線Ｃ１と直交する短手方向中心線Ｃ２に沿った方向）に張り出すように設けられており、その第１羽部１３ａの付け根側に折目用線１４ａが形成されている。
また、第２羽部１３ｂは、長手方向中心線Ｃ１を挟んだ他方側からその長手方向中心線Ｃ１に向かって収納箱１の上面１ａの短手方向（短手方向中心線Ｃ２に沿った方向）に張り出すように設けられており、その第２羽部１３ｂの付け根側に折目用線１４ｂが形成されている。
具体的には、第１羽部１３ａと第２羽部１３ｂは、それぞれの折目用線１４ａ、１４ｂの近傍である基端部から、それぞれの自由端縁の先端部までの羽部の延出方向（短手方向中心線Ｃ２に沿った方向）の長さがほぼ同じでありつつ、第１羽部１３ａの幅方向の長さは、第２羽部１３ｂの幅方向の長さの約２倍であり、第１羽部１３ａは長手方向中心線Ｃ１に沿った方向に幅広い形状を呈し、第２羽部１３ｂより大きなサイズを有している。
【００２１】
そして、第１羽部１３ａの先端部の配置と第２羽部１３ｂの先端部の配置は、長手方向中心線Ｃ１に沿った方向にずれて、その長手方向中心線Ｃ１に対して互い違いの配置となっている。
特に、第１羽部１３ａの先端部と第２羽部１３ｂの先端部とは、短手方向中心線Ｃ２に沿った方向に、３ｍｍ以上１７ｍｍ以下の間隔を有する配置となっている。別言すれば、一方の第２羽部１３ｂの先端部と第１羽部１３ａの先端部が長手方向中心線Ｃ１を挟んで対向する隙間間隔であって短手方向の間隔が３ｍｍ以上１７ｍｍ以下とされている。
この第１羽部１３ａの先端部と第２羽部１３ｂの先端部の隙間間隔が３ｍｍ未満であると、収納箱１からティシューペーパー２を取り出す際に取出口１１の第１羽部１３ａや第２羽部１３ｂにティシューペーパー２が強く擦れるために取出抵抗が大きくなるので、ティシューペーパー２が破れたりして取出性が悪くなるなどの不都合が生じることがある。特に、最初の１組のティシューペーパー２を取出口１１から取り出すことが困難になる。一方、第１羽部１３ａの先端部と第２羽部１３ｂの先端部の隙間間隔が１７ｍｍより大きいと、ティシューペーパー２の取出性は向上するが、各羽部１３ａ、１３ｂによるティシューペーパー２の保持性が悪くなってしまうために、ティシューペーパー２が収納箱１内へ落ち込んでしまいやすくなるなどの不都合が生じることがある。
そして、より好ましい第１羽部１３ａの先端部と第２羽部１３ｂの先端部の隙間間隔は、３ｍｍ以上１５ｍｍ以下であり、さらに好ましくは４ｍｍ以上８ｍｍ以下である。
【００２２】
折目用線１４ａは、第１羽部１３ａの付け根側に押圧部材（図示省略）を型押しして形成された、長手方向中心線Ｃ１に沿った直線状のくぼみであり、第１羽部１３ａの起立を容易にするために設けられている。
折目用線１４ｂは、第２羽部１３ｂの付け根側に押圧部材（図示省略）を型押しして形成された、長手方向中心線Ｃ１に沿った直線状のくぼみであり、第２羽部１３ｂの起立を容易にするために設けられている。
特に、第１羽部１３ａの付け根側の折目用線１４ａと、第２羽部１３ｂの付け根側の折目用線１４ｂとでは、その折目用線の幅や深さが異なるように形成されており、例えば、折目用線１４ａは幅０．６ｍｍ、深さ０．４ｍｍ程度くぼんでおり、折目用線１４ｂは幅０．４ｍｍ、深さ０．２ｍｍ程度くぼんでいる。
ここでは、直線状の折目用線１４ａ、１４ｂとしているが、収納箱１の内方又は外方に向けて張り出すような円弧状の折目用線としてもよい。また、この折目用線は羽部の付け根全域に延在するものでなくてもよい。
【００２３】
なお、上記第１羽部１３ａや第２羽部１３ｂにおける付け根部から先端部までの突出長さは、ティシューペーパー２…が各羽部１３ａ、１３ｂに保持される程度であればよく、５ｍｍ以上あることが望ましい。また、上限は特に限定されず、ティシューペーパー２…の大きさや収納箱１の短手方向の長さおよび取出口１１の大きさにより適宜決めてよい。
【００２４】
蓋部１２は取出口１１と同一の形状を有している。この蓋部１２には、半円状の破断用切目線が形成され、この破断用切目線の内部に指を当てて力を加えると、破断用切目線の内部が収納箱１の内側に折れ曲がり、指を挿入可能な指穴１５が形成されるようになっている。
【００２５】
次に、収納箱１に収納されるティシューペーパー２について説明すれば、ティシューペーパー２は、その折り畳み軸方向の長さが１００〜２４５ｍｍとなっている。
このティシューペーパー２…は、２枚が１組（一単位）とされ、１組１組が継続して箱から取り出せるように交互に折り畳まれており、一方の羽部（例えば、第１羽部１３ａ）に保持されているティシューペーパー１組を外へ引き出したときに、次のティシューペーパー１組が収納箱１の内部から他方の羽部（例えば、第２羽部１３ｂ）に保持される位置まで引き出される折り方となっている。つまり、ティシューペーパー２…は、一組毎取り出す際、各羽部１３ａ、１３ｂに交互に保持されるようになっている。
【００２６】
このような収納箱１であれば、好適な間隔に施された各羽部１３ａ、１３ｂの先端頂部がティシューペーパー２と点接触することとなり、ティシューペーパー２の取出性および保持性の双方を満足させることが可能になる。
【００２７】
［変形例１］
図４は変形例１を示している。この変形例１は第１実施形態の収納箱の変形例である。
変形例１の収納箱１では、第１羽部１３ａの先端部分および第２羽部１３ｂの先端部分の形状が、長手方向中心線Ｃ１に沿った直線形状を呈する構成となっている。この変形例１の収納箱１は、その他の点では、第１実施形態の収納箱と同じとなっている。したがって、この変形例１の収納箱１は、適宜に、第１実施形態の収納箱の説明の箇所で示したと同様の変形を加えることが可能である。
この変形例１によれば、各羽部１３ａ、１３ｂの先端側がティシューペーパー２と線接触することとなるので、ティシューペーパー２の保持性は高まることになる。
【００２８】
［変形例２］
図５は変形例２を示している。この変形例２は第１実施形態の収納箱の変形例である。
変形例２の収納箱１では、第１羽部１３ａの先端部分および第２羽部１３ｂの先端部分の形状が、長手方向中心線Ｃ１に沿って連続する波形形状を呈する構成となっている。この変形例２の収納箱１は、その他の点では、第１実施形態の収納箱と同じとなっている。したがって、この変形例２の収納箱１は、適宜に、第１実施形態の収納箱の説明の箇所で示したと同様の変形を加えることが可能である。
この変形例２によれば、各羽部１３ａ、１３ｂの先端側の波形形状の凹凸の数を調整することによって、各羽部１３ａ、１３ｂの先端側がティシューペーパー２と点接触する部分や領域を調整することができるので、ティシューペーパー２の取出性および保持性の調節が可能になる。
【００２９】
［第２実施形態］
図６は、フィルムレス構造の収納箱の構造を示す分解斜視図、図７は、この収納箱の使用前の状態を示す平面図、図８は、この収納箱の使用時の状態を示す平面図である。
この第２実施形態の収納箱１は次の点で第１実施形態の収納箱と共通している。
第１に、この第２実施形態の収納箱１は大きさおよび外形が第１実施形態の収納箱と共通している。
第２に、この第２実施形態の収納箱１は、収納箱１の内部に収納されるティシューペーパー２の大きさおよび収納構造が第１実施形態の収納箱と共通している。
第３に、この第２実施形態の収納箱１は、取出口１１が蓋部１２を破断用切目線３に沿って切り取って形成される点、取出口１１が収納箱１の中央に位置している点、取出口１１の寸法が収納箱１の長手方向で大きく、かつ、その短手方向で小さくなるように設定されている点、取出口１１の縁が使用状態で全周に亘って連続してループ状をなしている点で第１実施形態の収納箱と共通している。
第４に、この第２実施形態の収納箱１は、蓋部１２を切り取った状態で、収納箱１の長手方向の異なる位置に先端部を持つ羽部が、収納箱１の短手方向における取出口１１の両側に第１羽部１３ａと第２羽部１３ｂの数が異なるように形成されている点、第１羽部１３ａと第２羽部１３ｂのそれぞれの先端部の隙間間隔であって短手方向の間隔が３ｍｍ以上１７ｍｍ以下とされている点、各羽部の付け根側に折目用線が形成されている点で第１実施形態の収納箱と共通している。
第５に、この第２実施形態の収納箱１は、蓋部１２に指穴１５が形成可能となっている点で第１実施形態の収納箱と共通している。
なお、この第２実施形態の収納箱１は、適宜に、第１実施形態の収納箱の説明の箇所で示したと同様の変形を加えることが可能である。
【００３０】
次に、この第２の実施形態の収納箱１が第１実施形態の収納箱と異なる点を説明する。
この第２実施形態の収納箱１の取出口１１は、３つ並んだ比較的小さな円弧状の縁１１−１、１１−２、１１−３と、略Ｗ字状の縁１１−４と、２つ並んだ比較的大きな円弧状の縁１１−５、１１−６と、略Ｗ字状の縁１１−７と、を連結してなるループ状の縁によって区画される。
【００３１】
そして、取出口１１の縁には、円弧状の縁１１−１、１１−２、１１−３が自由端縁を構成し、取出口１１の内方に向けて円弧状に膨らんで並ぶように張り出した３つの第１羽部１３ａ，１３ａ，１３ａと、円弧状の縁１１−５と１１−６が自由端縁を構成し、取出口１１の内方に向けて円弧状に膨らんで並ぶように張り出した２つの第２羽部１３ｂ，１３ｂとが、収納箱１の上面１ａの長手方向中心線Ｃ１を挟んで対向するように形成されている。
ここで、第１羽部１３ａと第２羽部１３ｂは、それぞれの折目用線１４ａ、１４ｂの近傍である基端部から、それぞれの自由端縁の先端部までの羽部の延出方向（短手方向中心線Ｃ２に沿った方向）の長さがほぼ同じでありつつ、第２羽部１３ｂの幅方向の長さは、第１羽部１３ａの幅方向の長さの約１．５倍であり、第２羽部１３ｂは長手方向中心線Ｃ１に沿った方向に幅広い形状を呈し、第１羽部１３ａより大きなサイズを有している。
【００３２】
また、取出口１１の縁には、略Ｗ字状の縁１１−４と１１−７におけるそれぞれの中央側の略半円状の突部が自由端縁を構成し、取出口１１の内方に向けて張り出したそれぞれの両側羽部１３ｃが短手方向中心線Ｃ２を挟んで対向するように形成されている。
両側羽部１３ｃは、取出口１１の長手方向の両端側から長手方向中心線Ｃ１に沿った方向に張り出して対向するように設けられている。そして、この両側羽部１３ｃがティシューペーパー２と接触することでティシューペーパー２が収納箱１内へ落ち込んでしまうことを防ぐようになっている。
なお、両側羽部１３ｃの付け根側には、短手方向中心線Ｃ２に沿った直線状のくぼみである折目用線１４ｃが、両側羽部１３ｃの起立を容易にするために形成されている。ここでは、直線状の折目用線１４ｃとしているが、収納箱１の内方又は外方に向けて張り出すような円弧状の折目用線としてもよい。また、この折目用線１４ｃは両側羽部１３ｃの付け根全域に延在するものでなくてもよい。
【００３３】
特に、第１羽部１３ａの付け根側の折目用線１４ａと、第２羽部１３ｂの付け根側の折目用線１４ｂと、両側羽部１３ｃの付け根側の折目用線１４ｃとでは、その折目用線の幅や深さが異なるように形成されており、例えば、折目用線１４ａは幅０．４ｍｍ、深さ０．２ｍｍ程度くぼんでおり、折目用線１４ｂは幅０．５ｍｍ、深さ０．３ｍｍ程度くぼんでおり、折目用線１４ｃは幅０．６ｍｍ、深さ０．４ｍｍ程度くぼんでいる。
【００３４】
このような収納箱１であっても、ティシューペーパー２の取出性および保持性の双方を満足させることが可能になる。
【００３５】
［その他の変形］
以上、本発明の実施形態および変形例を説明したが、本発明は、かかる実施形態や変形例に限定されるものではなく、種々の変形が可能である。
例えば、各羽部の数や、取出口１１の縁である羽部の曲率などは、任意に形成するようにしてもよい。
【図面の簡単な説明】
【００３６】
【図１】第１実施形態のティシューペーパー収納箱の分解斜視図である。
【図２】図１のティシューペーパー収納箱の使用前の状態を示す平面図である。
【図３】図１のティシューペーパー収納箱の使用時の状態を示す平面図である。
【図４】第１実施形態の変形例１のティシューペーパー収納箱の使用時の状態を示す平面図である。
【図５】第１実施形態の変形例２のティシューペーパー収納箱の使用時の状態を示す平面図である。
【図６】第２実施形態のティシューペーパー収納箱の分解斜視図である。
【図７】図６のティシューペーパー収納箱の使用前の状態を示す平面図である。
【図８】図６のティシューペーパー収納箱の使用時の状態を示す平面図である。
【符号の説明】
【００３７】
１      ティシューペーパー収納箱（家庭用薄葉紙収納箱）
２      ティシューペーパー（家庭用薄葉紙）
３      破断用切目線
１１    取出口
１２    蓋部
１３ａ  第１羽部
１３ｂ  第２羽部
１３ｃ  両側羽部
１４ａ  折目用線
１４ｂ  折目用線
１４ｃ  折目用線
１５    指穴
Ｃ１    長手方向中心線
Ｃ２    短手方向中心線
【図１】
2008162624.tif 000003
【図２】
2008162624.tif 000004
【図３】
2008162624.tif 000005
【図４】
2008162624.tif 000006
【図５】
2008162624.tif 000007
【図６】
2008162624.tif 000008
【図７】
2008162624.tif 000009
【図８】
2008162624.tif 000010